(57)【要約】      （修正有）【課題】販売店やレンタルショップにおいて、ＣＤやＤＶＤ等のディスクを収納するディスク収納ケースを来店客が不正にケースを開けることにより内部のディスクを窃盗することを防止するための施錠装置を提供する。【解決手段】開閉自在に合掌される自由端を備えた分割ケースによりディスク収納室を形成するケース本体と、該ケース本体の端縁に開口部を有する施錠路に挿脱自在に挿着される施錠プレートを有する施錠手段とから成り、前記施錠手段は、施錠路に挿着されたとき、分割ケースを開放不能に施錠する開閉ロック手段と、該施錠手段を施錠路から抜出し不能に施錠する抜止ロック手段を設けて成るディスク収納ケースにおいて、前記抜止めロック手段は、施錠プレートの表面から弾性的に出没自在に突出する係止突部を備えた係止アームと、該係止アームの裏面に設けられた磁性体と、ケース本体から施錠路に臨んで形成された被係止部とを備える。【選択図】        図２
2005008218.tif 000002
【特許請求の範囲】
【請求項１】
開閉自在に合掌される自由端３ａ、３ｂを備えた分割ケース４ａ、４ｂによりディスク収納室４を形成するケース本体１と、該ケース本体の端縁に開口部１５ａを有する施錠路１５に挿脱自在に挿着される施錠プレート３３を有する施錠手段６とから成り、前記施錠手段６は、施錠路１５に挿着されたとき、分割ケース４ａ、４ｂを開放不能に施錠する開閉ロック手段４３（４３ａ）と、該施錠手段６を施錠路１５から抜出し不能に施錠する抜止めロック手段３９（４１）を設けて成るディスク収納ケースにおいて、
前記抜止めロック手段３９（４１）は、施錠プレート３３の表面から弾性的に出没自在に突出する係止突部５１（５５）を備えた係止アーム４０（４２）と、該係止アームの裏面に設けられた磁性体５２（５６）と、ケース本体から施錠路に臨んで形成された被係止部２０（２２）とを備え、施錠プレートを施錠路に挿入したとき前記係止突部５１（５５）が被係止部２０（２２）を乗り越えて該被係止部に係止する一方、施錠プレート３３の裏面に磁石６３（６４）を臨ませたとき磁性体５２（５６）の磁着を介して係止突部５１（５５）の係止を解除する方向に係止アーム４０（４２）を傾動せしめるように構成されており、
前記係止アーム４０（４２）は、可撓性の合成樹脂により形成された施錠プレート３３の窓孔４９（５３）に位置して形成され、該係止アームの一端を可撓性ヒンジ５０（５４）を介して施錠プレートに一体成形されると共に、他端近傍に表面に向けて突出する前記係止突部５１（５５）を形成し、該アームの裏面に前記磁性体５２（５６）を設けて成ることを特徴とするディスク収納ケースにおける施錠装置。
【請求項２】
係止アームの係止突部５１（５５）は、施錠路に対する挿入方向の前側に位置して傾斜ガイド部５１ａ（５５ａ）を形成して成ることを特徴とする請求項１に記載のディスク収納ケースにおける施錠装置。
【請求項３】
開閉ロック手段４３は、施錠路の開口部を挟んで一対の分割ケース４ａ、４ｂに設けられた被嵌合片１６、１７と、施錠手段６の表裏両面に形成された嵌合片４４ａ（４４ｂ）とから成り、施錠プレート３３を施錠路１５に挿入したとき、嵌合片４４ａ（４４ｂ）が被嵌合片１６、１７に嵌入されるように構成して成ることを特徴とする請求項１又は２に記載のディスク収納ケースにおける施錠装置。
【発明の詳細な説明】
【０００１】
【発明の属する技術分野】
本発明は、ＣＤやＤＶＤ等のディスクを収納するためのディスク収納ケースに関するものであり、特に、このようなディスクを商品として展示する販売店やレンタルショップにおいて、来店客が不正にケースを開けることにより内部のディスクを窃盗することを防止するための施錠装置を提供する。
【０００２】
【従来の技術】
従来、ディスク収納ケースにおける施錠装置及び解錠装置は、種々の構造のものが提案されており、本出願人においても多くの発明を提案している。
【０００３】
【発明が解決しようとする課題】
例えば、特開平８−２１７１７６号公報に示されるように、正面側を大きく開口せしめたオープン形式のディスク収納ケースに対して、該開口部の一部を閉鎖する着脱自在な施錠片を設けた構成のものが公知である。然しながら、不正者は、ドライバー工具等の治具を使用することにより、施錠片を破壊したりケースの壁部をこじ開けることにより、内部のディスクを抜き取るため、このようなオープン形式のディスクケースでは対策が十分でない。
【０００４】
この点に関して、例えば、特開２００２−２４９１９０号公報や、特開２００３−１１８７９０号公報に示されるように、ヒンジ部を介して開閉自在に合掌せしめられる一対の分割ケースによりディスク収納室を形成したクローズ形式のディスク収納ケースが公知であり、分割ケースの合掌せしめられた自由端に沿って施錠片を挿着せしめる構成のものが公知である。この場合、クローズ形式のケースであるため、オープン形式のケースよりは安全性が高いものとなる。然しながら、施錠片は、施錠作業が容易であるだけでなく、解錠作業も容易とすることが店舗における効率上必要であり、しかも、製造容易にして低コストで提供することが必要になるが、従来技術においては、この点の配慮が十分でない。
【０００５】
ところで、施錠片による施錠と解錠を行わしめるに際しては、施錠片を挿着したとき自動的に抜止めロックされ、その一方において、所定の方向から磁石を臨ませたとき施錠片の抜止めロックを解除できるように構成することが望ましく、このような機能を有するロック片は、本発明者が先に提案した特開２００１−７２１７１号公報や、特願２００２−１５６９８３号（現時点で未公開）の実施例として示されるような金属製の板バネにより達成できる。然しながら、板バネ製のロック片は、製造に際しプレス・折曲の工程が必要であり、しかも、施錠片に対するアセンブリが必要なため、コストの点で改善すべき課題があり、更に、ロック及びロック解除の動作を行う場合に無理な力が加わると、板バネが歪み好ましくない変形を生じる虞れがあるという問題がある。
【０００６】
【課題を解決するための手段】
本発明は、上記課題を解決したディスク収納ケースにおける施錠装置を提供するものである。
【０００７】
そこで、本発明が手段として構成したところは、開閉自在に合掌される自由端を備えた分割ケースによりディスク収納室を形成するケース本体と、該ケース本体の端縁に開口部を有する施錠路に挿脱自在に挿着される施錠プレートを有する施錠手段とから成り、前記施錠手段は、施錠路に挿着されたとき、分割ケースを開放不能に施錠する開閉ロック手段と、該施錠手段を施錠路から抜出し不能に施錠する抜止ロック手段を設けて成るディスク収納ケースにおいて、前記抜止めロック手段は、施錠プレートの表面から弾性的に出没自在に突出する係止突部を備えた係止アームと、該係止アームの裏面に設けられた磁性体と、ケース本体から施錠路に臨んで形成された被係止部とを備え、施錠プレートを施錠路に挿入したとき前記係止突部が被係止部を乗り越えて該被係止部に係止する一方、施錠プレートの裏面に磁石を臨ませたとき磁性体の磁着を介して係止突部の係止を解除する方向に係止アームを傾動せしめるように構成されており、前記係止アームは、可撓性の合成樹脂により形成された施錠プレートの窓孔に位置して形成され、該係止アームの一端を可撓性ヒンジを介して施錠プレートに一体成形されると共に、他端近傍に表面に向けて突出する前記係止突部を形成し、該アームの裏面に前記磁性体を設けて成る点にある。
【０００８】
本発明の好ましい実施形態において、係止アームの係止突部は、施錠路に対する挿入方向の前側に位置して傾斜ガイド部を形成している。
【０００９】
また、開閉ロック手段は、施錠路の開口部を挟んで一対の分割ケースに設けられた被嵌合片と、施錠手段の表裏両面に形成された嵌合片とから成り、施錠プレートを施錠路に挿入したとき、嵌合片が被嵌合片に嵌入されるように構成されている。
【００１０】
【発明の実施の形態】
以下図面に基づいて本発明の好ましい実施形態を詳述する。
【００１１】
（ケース本体と施錠手段の構成）
図１ないし図３に示すように、ディスク収納ケースを構成するケース本体１は、ヒンジ部２を介して開閉自在に合掌せしめられる自由端３ａ、３ｂを備えた第一分割ケース４ａと第二分割ケース４ｂの一対によりディスク収納室５を形成しており、該ケース本体１は、分割ケース４ａ、４ｂを開放不能に施錠する施錠手段６と、施錠手段６による施錠を解錠するための解錠装置７（図１０参照）とを組み合わせることにより使用される。
【００１２】
ケース本体１は、収納されるディスクＤの中心孔を嵌脱自在に嵌挿せしめるボス部８と、該ボス部８の周囲にディスク収納室５を区成する同心円状の円弧状リブ９、１０を第一分割ケース４ａに形成しており、第二分割ケース４ｂによりディスク収納室５を含んで第一分割ケース４ａを施蓋するように構成されている。この際、第一分割ケース４ａは、平板壁１１の両側縁に側壁１２、１２を立設した皿状に形成されており、第二分割ケース４ｂは、同様に、平板壁１３の両側縁に側壁１４、１４を形成した皿状に形成されており、一対の分割ケース４ａ、４ｂを合掌せしめたとき、相互に側壁１２、１４が入れ子式に嵌合せしめられる構成とされている。尚、図示省略しているが、ヒンジ部２を有する側縁にも相互に入れ子式に嵌合されるリブ状の側壁が形成されており、これによりケース本体１の三方において分割ケース４ａ、４ｂの間にドライバー工具等の治具を挿入できるような隙間を全く形成しない。
【００１３】
ケース本体１の残りの一辺には、施錠路１５の開口部１５ａが形成される。即ち、分割ケース４ａ、４ｂを合掌せしめた状態で、分割ケースの自由端３ａ、３ｂの間にはスロット状の開口部１５ａが開口され、平板壁１１、１２の間には開口部１５ａからディスク収納室５に向けて延びる施錠路１５が形成される。図例の場合、開口部１５ａ及び施錠路１５は、ケース本体１のほぼ全幅にわたり形成され、該開口部１５ａを挟んで分割ケース４ａ、４ｂの平板壁１１、１３の内側に被嵌合片１６、１７が設けられている。図例の場合、第一分割ケース４ａは、開口部１５ａの左端に位置して開口する１個のポケット１６ａと右端に位置して開口する２個のポケット１６ｂ、１６ｂによりそれぞれ被嵌合片１６を構成し、第二分割ケース４ｂは、開口部１５ａの左端に位置して開口する１個のポケット１７ａと右端に位置して開口する２個のポケット１７ｂ、１７ｂにより被嵌合片１７を構成している。
【００１４】
第二分割ケース４ｂは、左端のポケット１７ａと右端のポケット１７ｂの間に位置して、施錠路１５の開口部１５ａに臨むガイド群１８を設けると共に、該ガイド群１８のほぼ全体にわたり延設され開口部１５ａの開口縁とほぼ平行に配置されたブリッジ１９によりディスク収納室５に向けて臨む段状の第一被係止部２０を形成している。更に、第二分割ケース４ｂの平板壁１３には、第一被係止部２０の内側で間隔をあけて平行に延びるリブ壁２１が設けられ、該リブ壁２１によりディスク収納室５に向けて臨む第二被係止部２２を形成している。前記ガイド群１８は、図５に拡大して示すように、左端のポケット１７ａと右端のポケット１７ｂの間において間隔をあけて配置された断面Ｔ形のガイド片２３、２３、２３と、該ガイド片の間に配置された複数のリブ群から成る縦リブ２４、２４により構成されている。
【００１５】
第一分割ケース４ａは、左端のポケット１６ａと右端のポケット１６ｂの間に位置して、施錠路１５の開口部１５ａを形成する開口縁に歯形状の凹部２５を形成すると共に、右端のポケット１６ｂに隣接して、平板壁１１の外側から内側に向けて凹入された凹入部２６を設けており、該凹入部２６の底壁を平板壁１１に向けて傾斜せしめることによりガイド壁２７を形成している。
【００１６】
一対の分割ケース４ａ、４ｂに設けられた側壁１２、１４は、それぞれ内側に突出する係止片２８、２９を設けており、分割ケース４ａ、４ｂを合掌せしめた状態で、第一分割ケース４ａの側壁１２に設けた係止片２８と、第二分割ケース４ｂの側壁１４に設けた係止片２９が、施錠路１５に対して相互に該施錠路１５を越える反対側に位置せしめられるように構成されている。図示実施形態において、第二分割ケース４ｂの側壁１２、１２には、円弧状リブ９の両端に近傍して内側に突出する補強壁３０を形成しており、両分割ケース４ａ、４ｂを合掌せしめたとき、第一分割ケース４ａの係止片２９が第二分割ケース４ｂの係止片２８と補強壁３０の間に嵌入される。この状態で、一対の係止片２８、２９が施錠路１５を越える反対側に位置せしめられ、係止片２８、２９の間の空間により施錠路１５の一部分を構成する。
【００１７】
第一分割ケース４ａは、歯形状に列設された凹部２５の両側に位置してディスク収納室５に向けて延びる一対のガイドリブ３１、３１を形成し、該ガイドリブ３１、３１は、延長端から相互に対向方向に折曲された折曲端３１ａ、３１ａを備えている。更に、一対のガイドリブ３１、３１の間には島状の中間ガイド３２が設けられている。
【００１８】
施錠手段６は、ケース本体１の開口部１５ａから施錠路１５に挿入される施錠プレート３３と、開口部１５ａを閉鎖する蓋部３４を備え、ほぼ全体を可撓性の合成樹脂により一体成形されている。尚、施錠プレート３３には盗難防止タグ３５（図３参照）が貼着されている。盗難防止タグ３５は、店舗の出入口に設置された感知装置に感応するものであり、従って、ケース本体１を店外に持ち出そうとする者があると、これを感知装置が検出し警報を発する。
【００１９】
施錠プレート３３は、施錠路１５に挿入されたとき、補強壁３０、３０の間に位置せしめられる先端縁３６と、係止片２８、２９の間に挿入される両側縁３７、３７を備えており、施錠プレート２５の表面にディスク収納室５に収納されたディスクＤの周縁下面に接支する小突起３８を設けている。
【００２０】
施錠プレート３３には、第一抜止めロック手段３９を構成する第一係止アーム４０と、第二抜止めロック手段４１を構成する一対の第二係止アーム４２、４２が設けられており、蓋部３４には、開閉ロック手段４３が設けられている。
【００２１】
開閉ロック手段４３は、施錠路１５の開口部１５ａを挟んで配置されるポケット１６ａ、１７ａにそれぞれ嵌入されるように蓋部３４から施錠プレート２５の表裏両面に向けて延びる嵌合片４４ａ、４４ａと、同様にポケット１６ｂ、１７ｂにそれぞれ嵌入されるように蓋部３４から施錠プレート２５の表裏両面に向けて延びる嵌合片４４ｂ、４４ｂを設けており、これにより第一分割ケース４ａの嵌合片１６と第二分割ケース４ｂの嵌合片１７を離反不能に拘束する。
【００２２】
左右の嵌合片４４ａと４４ｂの間において、施錠手段６の表面側に関して、蓋部３４は、第二分割ケース４ｂのガイド群１８に対応する補助係止群４４を設けている。この補助係止群４４は、施錠プレート３３を施錠路１５に挿入したとき、断面Ｔ形のガイド片２３に嵌合されることにより第二分割ケース４ｂの開放を阻止するスリット付き門形状の係止片４５と、縦リブ２４に嵌合されるリブ４６を含んでいる。
【００２３】
施錠手段６の裏面側に関して、蓋部３４は、第一分割ケース４ａの歯形状の凹部２５に噛合される一連の突起４７と、凹入部２６に嵌入される被係止部４８を設けている。
【００２４】
図５に示すように、第一抜止めロック手段３９を構成する第一係止アーム４０は、蓋部３４とほぼ平行に延びる横杆部４０ａと、該横杆部から先端縁３６に向けて延びる縦杆部４０ｂを備えたほぼＴ形に形成されており、施錠プレート３３に開設された窓孔４９の内部に嵌入状に位置せしめられ、縦杆部４０ｂの一端を薄肉となる可撓性ヒンジ５０を介して施錠プレート３３と共に合成樹脂により一体成形されている。横杆部４０ａの両端には、施錠プレート３３の表面から突出する係止突部５１、５１が設けられており、該係止突部５１は、先端縁３６に向けて下り勾配となる傾斜ガイド部５１ａを形成している。図３に示すように、第一係止アーム４０の裏面、好ましくは横杆部４０ａの裏面、更に好ましくは係止突部５１、５１の裏面には鉄等の磁性材料から成る磁性体５２、５２が設けられている。この磁性体５２は、施錠手段６を合成樹脂により成形する際にインサート成形することができるが、施錠手段６の成形後に嵌着手段又は接着手段を介して第一係止アーム４０の裏面に取付固着しても良い。
【００２５】
第二抜止めロック手段４１を構成する第二係止アーム４２は、第一係止アーム４０の縦杆部４０ｂの両側にほぼ平行に位置して一対が設けられており、施錠プレート３３に開設された窓孔５３の内部に嵌入状に位置せしめられ、先端縁３６に向かう一端を薄肉となる可撓性ヒンジ５４を介して施錠プレート３３と共に合成樹脂により一体成形されている。該ヒンジと反対側に位置する第二係止アーム４２の他端には、施錠プレート３３の表面から突出する係止突部５５が設けられており、該係止突部５５は、先端縁３６に向けて下り勾配となる傾斜ガイド部５５ａを形成している。図３に示すように、第二係止アーム４２の裏面、好ましくは係止突部５５の裏面には鉄等の磁性材料から成る磁性体５６が設けられている。この磁性体５６は、施錠手段６を合成樹脂により成形する際にインサート成形することができるが、施錠手段６の成形後に嵌着手段又は接着手段を介して第二係止アーム４２の裏面に取付固着しても良い。
【００２６】
施錠プレート３３の裏面において、図３及び図６に示すように、第一係止アーム４０の横杆部４０ａを囲むように窓孔４９を縁取る額縁壁５７が突設されており、一対の第二係止アーム４２、４２のそれぞれの両側に位置して窓孔５３を縁取る一対のスライドレール５８、５９の２組が突設されており、該スライドレール５８、５９は、先端縁３６に至り延びる。
【００２７】
そこで、施錠プレート３３を先端縁３６から施錠路１５に挿入する際、図４及び図６に示すように、第一分割ケース４ａの中間ガイド３２の両側にそれぞれガイドリブ３１を介して形成されたガイド路６０、６０に対して、前記一対のスライドレール５８、５９の２組が案内されつつ挿入せしめられる。この際、図示実施形態のように、第一分割ケース４ａの左側のポケット１６ａと側壁１２の間に挿入路６１を形成し、施錠プレート３３の一方の側縁３７に裏面側に突出する縁リブ６２を設けておけば、施錠プレート３３の挿入時に、縁リブ６２が挿入路６１に進入することにより位置決めガイドとして機能する。施錠プレート３３を施錠路１５に完全に挿入したとき、額縁壁５７をガイドリブ３１の折曲端３１ａと中間ガイド３２に当接せしめることにより、施錠プレート３３を停止させる。
【００２８】
（施錠手段の作用）
第一抜止めロック手段３９の作用を図７に示し、第二抜止めロック手段４１の作用を図８に示し、開閉ロック手段４３の作用を図９に示している。
【００２９】
（第一抜止めロック手段の作用）
図７（Ａ）及び図７（Ｂ）に示すように、施錠プレート３３を施錠路１５に挿入する初期段階において、第一係止アーム４０は、係止突部５１の傾斜ガイド部５１ａを開口縁に当接せしめられることにより、可撓性ヒンジ５０を支点として窓孔４９に没入するように傾動せしめられ、これにより施錠プレート３３の挿入を可能にする。
【００３０】
施錠プレート３３が完全に挿入され、係止突部５１が第一被係止部２０を通過すると、図７（Ｃ）に示すように、第一係止アーム４０が可撓性ヒンジ５０の弾性を介して復元し、係止突部５１を第一被係止部２０に係止せしめる。これにより、施錠プレート３３は施錠路１５から抜出し不能にロックされる。
【００３１】
第一抜止めロック手段３９のロックを解錠する場合は、図７（Ｄ）に示すように、第一分割ケース４ａの外側から係止突部５１の裏面に向けて磁石６３を臨ませる。これにより、磁性体５２の磁着を介して、第一係止アーム４０が可撓性ヒンジ５０の弾力に抗して傾動せしめられ、係止突部５１を第一被係止部２０から離脱する。この状態で、施錠プレート３３は施錠路１５から抜出し可能に解錠される。
【００３２】
（第二抜止めロック手段の作用）
図８（Ａ）に示すように、施錠プレート３３を施錠路１５に挿入する初期段階において、第二係止アーム４２は、係止突部５５の傾斜ガイド部５５ａを開口縁に当接せしめられることにより、可撓性ヒンジ５４を支点として窓孔５３に没入するように傾動せしめられ、これにより施錠プレート３３の挿入を可能にする。引き続いて施錠プレート３３を挿入すると、同様に、図８（Ｂ）に示すように、第二係止アーム４２の傾動を介して係止突部５５が第二被係止部２２を通過し、施錠プレート３３の挿入を可能にする。
【００３３】
施錠プレート３３が完全に挿入され、係止突部５５が第二被係止部２２を乗り越えると、図８（Ｃ）に示すように、第二係止アーム４２が可撓性ヒンジ５４の弾性を介して復元し、係止突部５５を第二被係止部２２に係止せしめる。これにより、施錠プレート３３は施錠路１５から抜出し不能にロックされる。
【００３４】
第二抜止めロック手段４１のロックを解錠する場合は、図８（Ｄ）に示すように、第一分割ケース４ａの外側から係止突部５５の裏面に向けて磁石６４を臨ませる。これにより、磁性体５６の磁着を介して、第二係止アーム４２が可撓性ヒンジ５４の弾力に抗して傾動せしめられ、係止突部５５を第二被係止部２２から離脱する。この状態で、施錠プレート３３は施錠路１５から抜出し可能に解錠される。
【００３５】
（開閉ロック手段の作用）
図９（Ａ）に示すように、第一分割ケース４ａと第二分割ケース４ｂを合掌せしめた状態で、施錠路１５を挟んで被嵌合片１６、１７が上下に位置し、ポケット１６ａ（１６ｂ）、１７ａ（１７ｂ）を自由端に開口せしめている。そこで、施錠プレート３３を施錠路１５に挿入すると、蓋部３４の嵌合片４４ａ、４４ａ（４４ｂ、４４ｂ）がポケットに対向して前進する。
【００３６】
施錠プレート３３を完全に挿入し、前述のように第一抜止めロック手段３９及び第二抜止めロック手段４１による抜止めロックが行われると、図９（Ｂ）に示すように、蓋部３４の嵌合片４４ａ、４４ａ（４４ｂ、４４ｂ）がポケット１６ａ（１６ｂ）、１７ａ（１７ｂ）に嵌入し、被嵌合片１６、１７を係止することにより、第一分割ケース４ａと第二分割ケース４ｂを開放不能にロックする。
【００３７】
本発明が図示の実施形態に限定されないことは勿論である。例えば、上記実施形態は、施錠手段６の抜止めロック手段に関して、第一抜止めロック手段３９と第二抜止めロック手段４１の２つの手段を構成しているが、何れか一方だけを設け、他方は省略しても良い。或いは、これらに加えて第三の抜止めロック手段を設けても良い。更に、上記実施形態は、施錠手段６による分割ケース４ａ、４ｂの開閉ロック手段４３に関して、施錠路１５を挟んで対向せしめられる被嵌合片１６、１７に対して施錠手段６の嵌合片４４ａ、４４ａ（４４ｂ、４４ｂ）を嵌合せしめる構成としたが、上述のように、施錠路１５を越える反対側に位置せしめられる係止片２８、２９の間に施錠プレート３３の側縁３７を挿入せしめることによっても、分割ケース４ａ、４ｂを開放不能にロックできる構成であるから、前記開閉ロック手段４３に代えて又は加えて、このような係止片２８、２９と側縁３７により開閉ロック手段４３ａを構成しても良い。
【００３８】
（解錠装置の構成）
図１０及び図１１は、解錠装置７の実施形態を示している。解錠装置７は、背面にクランプ取付具等の据付け手段６５を設けたボディー６６の正面側に、両側壁６７、６７と正面壁６８により形成された解錠用通路６９を構成している。施錠手段６により施錠されたケース本体１は、矢印Ｆで示すように、解錠用通路６９に対して、蓋部３４により形成された前端縁を前向きとして前進せしめることにより挿入される。そこで、解錠用通路６９は、ケース本体１を受入れる入口７０と、該前進方向に向けて施錠手段６を排出する出口７１を連通せしめた構成とされている。尚、入口７０の横幅ｗ１及び縦幅ｄ１と、出口７１の横幅ｗ２及び縦幅ｄ２は、ｗ１＞ｗ２、ｄ１≧ｄ２となるように形成することが好ましい。
【００３９】
解錠用通路６９の内部に臨むボディー６６の正面壁には、磁石６３、６４と、ワンウエイ係止手段７２を構成する係止爪７３が設けられている。図１２に示すように、施錠手段６により施錠されたケース本体１は、解錠用通路６９に対し、施錠手段６の裏面、即ち、第一分割ケース４ａを磁石６３、６４に対面させるような姿勢で挿入される。このため、磁石６３、６４は、解錠用通路６９に挿入されたケース本体１に対して、それぞれ第一係止アーム４０の磁性体５２と第二係止アーム４２の磁性体５６に跨がるように配置されている。尚、図例では２個の磁石６３、６４を示しているが、前述のような配置を可能とする限り、１個の磁石により構成しても良い。
【００４０】
また、係止爪７３は、前進することにより解錠用通路６９に挿入されるケース本体１の凹入部２６に嵌入するような位置に設けられている。この際、係止爪７３は、板バネ等の弾性材により形成され、基部に曲面又は傾斜面を有するガイド部７３ａを形成し、該基部から前記前進方向Ｆに向けて延長された自由端７３ｂを有している。このため、施錠手段６を挿着したケース本体１を前進させることにより入口７０から解錠用通路６９に挿入したとき、被係止部４８が係止爪７３をガイド部７３ａを介して押さえながら自由端７３ｂを変形させることにより該係止爪７３を通過し、被係止部４８が通過した後、係止爪７３が弾性復元することにより自由端７３ｂを凹入部２６に嵌入する。この嵌入状態において、係止爪７３と被係止部４８は、施錠手段６の前進は許すが、施錠手段６の後退を許さないワンウエイ係止手段７２を構成する。
【００４１】
（解錠装置の作用と解錠方法）
図１２に示すように、施錠手段６により施錠されたケース本体１を矢印Ｆで示すように前進させ、入口７０から解錠用通路６９に挿入すると、図１３に示すように、係止爪７３が凹入部２６に嵌入し、この状態で、磁石６３、６４が施錠手段６における第一係止アーム４０の磁性体５２と第二係止アーム４２の磁性体５６に臨ましめられる。これにより上述したように、第一抜止めロック手段３９と第二抜止めロック手段４１のロックが解除され、施錠手段６は、ケース本体１から抜出し自在とされている。
【００４２】
そこで、図１４に示すように、ケース本体１を矢印Ｒで示すように後退させ、解錠用通路６９の入口７０から引き抜くと、施錠装置６を解錠用通路６９の内部に残置させたままケース本体１だけが抜き取られる。このようにして解錠されたケース本体１は、ディスクＤを収納した状態で顧客に引き渡される。
【００４３】
上述のように、係止爪７３によりワンウエイ係止手段７２が構成されているので、施錠手段６は、ケース本体１の引抜きに追従することなく、解錠用通路６９の内部に残置され、磁石６３、６４と磁性体５２、５６の磁着に基づいて構成される保持手段７４により、解錠用通路６９の内部に保持されている。
【００４４】
ところで、解錠用通路６９の内部に残置された施錠手段６は、その都度、店員がわざわざ解錠用通路６９から取出す必要はなく、引き続いて解錠を要するケース本体１ｎが入口７０から解錠用通路６９に挿入されたとき、押動されつつ出口７１から排出される。即ち、図１５に示すように、次の施錠手段６ｎにより施錠されたケース本体１ｎが前進方向Ｆに向けて解錠用通路６９に挿入されると、これにより先に解錠され解錠用通路６９の内部に保持されていた施錠手段６は、押動されることにより磁石６３、６４から離れ、遊動自由な状態として出口７１から排出される。尚、次のケース本体１ｎも解錠用通路６９から抜き取るだけで解錠され、該施錠手段６ｎを解錠用通路６９に残置せしめるので、以後、同様の作業が繰返し行われる。
【００４５】
解錠装置７は、解錠用通路６９を水平姿勢として使用することが可能であるが、図示のように、入口７０を上向きとし出口７１を下向きとする垂直姿勢で使用することが好ましく、これにより出口７１から排出される施錠手段６を下方のストッカーに向けて落下させることができる。この場合、図示省略しているが、出口７１に姿勢制御用シュートを設け、出口７１から落下する施錠手段６を縦向き又は横向きのように姿勢制御させながら落下せしめ、多数の施錠手段６を同じ向きの姿勢としてストッカーに積層させるように構成すれば、施錠手段を好適に保管することができる。
【００４６】
【発明の効果】
本発明によれば、開閉自在に合掌せしめられる一対の分割ケース４ａ、４ｂによりディスク収納室５を形成したクローズ形式のケース本体１を構成しているので、オープン形式のケースに比して、ディスクＤの抜き取りによる窃盗に対して安全性が高く、しかも、施錠手段６を施錠路１６に挿入するというワンタッチで施錠を行い、磁石６３、６４を臨ませた状態で施錠手段６を施錠路１６から抜き取るというワンタッチで解錠を行うことができるので、施錠及び解錠のための作業効率が頗る良好である。
【００４７】
特に本発明によれば、抜止用ロック手段３９（４１）を構成する係止アーム４０（４２）が、可撓性の合成樹脂により形成された施錠プレート３３の窓孔４９（５３）に位置して形成され、該係止アームの一端を可撓性ヒンジ５０（５４）を介して施錠プレート３３に一体成形すると共に、他端近傍に表面に向けて突出する係止突部５１（５５）を形成し、該アームの裏面に磁性体５２（５６）を設けた構成であるから、大量生産と低コスト生産が可能であるばかりでなく、耐久性及び品質保持の点において極めて優れた効果がある。
【図面の簡単な説明】
【図１】本発明のケース本体と施錠手段の１実施形態を一部破断した状態で示す斜視図である。
【図２】開放したケース本体と施錠手段の表面側を示す分解斜視図である。
【図３】開放したケース本体と施錠手段の裏面側を示す分解斜視図である。
【図４】ケース本体に施錠手段を挿入する方法を一部破断すると共に断面にて示す斜視図である。
【図５】施錠手段の表面側と第二分割ケースを示す斜視図である。
【図６】施錠手段の裏面側と第一分割ケースを示す斜視図である。
【図７】図１のＡ−Ａ断面における第一抜止めロック手段の作用を示しており、（Ａ）は施錠手段の挿入初期段階を示す断面図、（Ｂ）は第一係止アームが傾動した状態を示す断面図、（Ｃ）は係止突部が第一被係止部に係止した抜止めロック状態を示す断面図、（Ｄ）は抜止めロックを解除する方法を示す断面図である。
【図８】図１のＢ−Ｂ断面における第二抜止めロック手段の作用を示しており、（Ａ）は施錠手段の挿入初期段階を示す断面図、（Ｂ）は第二係止アームが傾動した状態を示す断面図、（Ｃ）は係止突部が第二被係止部に係止した抜止めロック状態を示す断面図、（Ｄ）は抜止めロックを解除する方法を示す断面図である。
【図９】図１のＣ−Ｃ断面における開閉ロック手段の作用を示しており、（Ａ）は施錠手段の挿入初期段階を示す断面図、（Ｂ）は開閉ロックした状態を示す断面図である。
【図１０】解錠装置の１実施形態と施錠手段により施錠されたケース本体を正面側から示す斜視図である。
【図１１】解錠装置の１実施形態と施錠手段により施錠されたケース本体を背面側から示す斜視図である。
【図１２】ケース本体を解錠用通路に挿入する直前の状態を示す斜視図である。
【図１３】ケース本体を解錠用通路に挿入し、抜止めロック手段を開場した状態を示す斜視図である。
【図１４】ケース本体を解錠用通路から抜き取り、施錠手段を解錠用通路の内部に残置保持せしめた状態を示す斜視図である。
【図１５】次のケース本体を解錠用通路に挿入し、先に解錠用通路の内部に残置された施錠手段を出口から排出せしめる方法を示す斜視図である。
【符号の説明】
１    ケース本体
３ａ、３ｂ  自由端
４ａ、４ｂ  分割ケース
５    ディスク収納室
６    施錠手段
７    解錠装置
１５    施錠路
１５ａ  開口部
１６、１７  被嵌合片
２０    第一被係止部
２２    第二被係止部
２６    凹入部
２８、２９  係止片
３３    施錠プレート
３４    蓋部
３５    盗難防止タグ
３９    第一抜止めロック手段
４０    第一係止アーム
４１    第二抜止めロック手段
４２    第二係止アーム
４３、４３ａ  開閉ロック手段
４８    被係止部
４９、５３  窓孔
５０、５４  可撓性ヒンジ
５１、５５  係止突部
５１ａ、５５ａ  傾斜ガイド部
５２、５６  磁性体
６３、６４  磁石
６９    解錠用通路
７０    入口
７１    出口
７２    ワンウエイ係止手段
７３    係止爪
７４    保持手段
【図１】
2005008218.tif 000003
【図２】
2005008218.tif 000004
【図３】
2005008218.tif 000005
【図４】
2005008218.tif 000006
【図５】
2005008218.tif 000007
【図６】
2005008218.tif 000008
【図７】
2005008218.tif 000009
【図８】
2005008218.tif 000010
【図９】
2005008218.tif 000011
【図１０】
2005008218.tif 000012
【図１１】
2005008218.tif 000013
【図１２】
2005008218.tif 000014
【図１３】
2005008218.tif 000015
【図１４】
2005008218.tif 000016
【図１５】
2005008218.tif 000017